【手続補正書】
【提出日】平成16年4月1日(2004.4.1)
【手続補正１】
【補正対象書類名】特許請求の範囲
【補正対象項目名】全文
【補正方法】変更
【補正の内容】
【特許請求の範囲】
【請求項１】
複数の周波数音調を利用してフレーム同期パターンを伝送する方法であって、
フレーム同期パターンを取得するステップと、
前記パターンを２進値の対にグループ化するステップと、
第１の２進値の対をd.c.及びナイキスト・サブ搬送波に割り当てるステップと、
残りの複数の２進値の対の各々を複合振幅にマッピングするステップと、
前記マッピングされた対の各々を前記周波数音調の対応する一つに割り当てるステップと、
前記周波数音調の少なくとも一つの前記振幅を抑制するステップと、
前記周波数音調の少なくともサブセットをそれに対応するマッピングされた対に従って変調することにより、変調されたフレーム同期データを生成するステップと、
前記変調されたフレーム同期データを伝送するステップとを備える方法。
【請求項２】
請求項１記載の方法であって、
前記フレーム同期パターンは、以下の等式によって決定され、
前記等式は、
2004147345.tif 000001
ここで、ｘ［ｐ］は前記シーケンスのp番目の値である２進値を示し、
2004147345.tif 000002
はモジュロ２の加法を示している方法。
【請求項３】
請求項１記載の方法であって、
前記変調されたフレーム同期データは時間ドメインサンプルのシーケンスを有し、
前記伝送するステップに先だって、前記時間ドメインサンプルのシーケンスの最後から選択されたサンプルの数に対応する循環プレフィックスを付加するステップを更に有する方法。
【請求項４】
請求項１記載の方法であって、 
前記複数の周波数音調に対してビット数を割り当てるステップを更に有し、
前記抑制するステップは、選択されたレベルより少ないのビット数を有する前記複数の周波数音調の少なくとも一つの振幅を抑制する方法。
【請求項５】
請求項４記載の方法であって、前記選択されたレベルは２ビットである方法。
【請求項６】
請求項４記載の方法であって、それぞれの周波数音調に対してビット数を割り当てる前記ステップは、前記周波数音調の信号対雑音比に基づく方法。
【請求項７】
請求項４記載の方法であって、
前記ビット数から前記複数の周波数音調のエネルギースケーリングベクトルを生成するステップを更に含み、
前記抑制するステップは、前記複数の周波数音調の少なくとも一つに対して、この音調に対する前記エネルギスケーリングベクトルを前記マッピングされた２進値の対の前記複合振幅に掛け合わせるステップを有する方法。
【請求項８】
請求項１記載の方法であって、
前記伝送するステップは、前記変調されたフレーム同期データを変調されたデータフレームの間で周期的に伝送する方法。
【請求項９】
請求項１記載の方法であって、
前記伝送するステップは、前記変調されたフレーム同期データを２線式電話加入者回線を介して伝送する方法。
【請求項１０】
請求項１記載の方法であって、
前記伝送するステップは、前記変調されたフレーム同期データを非同期ディジタル加入者線システムの伝送のアップストリーム方向に伝送する方法。
【請求項１１】
請求項１記載の方法であって、
前記伝送するステップは、前記変調されたフレーム同期データを非同期ディジタル加入者線システムの伝送のダウンストリーム方向に伝送する方法。
【請求項１２】
請求項１記載の方法であって、更に、
第２の２進値の対をパイロット音調に関連付けると共に前記パイロット音調に対する定常複合振幅に対応する前記第２の２進値の対で書き換えるステップを有する方法。
【請求項１３】
多重搬送波変調を用いてデータを通信する送信装置であって、
２進値のシーケンスを生成するためのフレーム同期シーケンス源であって、第１の２進値の対はd.c.及びナイキスト・サブ搬送波に関連付けられており、複数の残りの２進値の対の各々は周波数ドメイン同期フレーム多重搬送波シンボルにおける関連付けられた周波数音調に対応する複合振幅を規定するものである前記フレーム同期シーケンス源と、
前記周波数ドメイン同期フレーム多重搬送波シンボル内の前記周波数音調の少なくとも一つの複合振幅をそれに関連付けられた２進値の対によって規定される前記複合振幅から抑制する回路と、
前記周波数ドメイン同期フレーム多重搬送波シンボルから時間ドメイン多重搬送波シンボルを生成する変調器と、
時間ドメイン多重搬送波シンボルをアナログ出力信号へ変換するディジタルアナログ変換器とを有する送信装置。
【請求項１４】
請求項１３記載の送信装置であって、前記抑制する回路は、
変調器に与えられる前に、前記周波数ドメイン同期フレーム多重搬送波シンボル内の前記周波数音調の少なくとも一つの前記複合振幅が掛け合わされることによりエネルギスケーリングベクトルを提供するビット割り当てテーブルを有する送信装置。
【請求項１５】
請求項１３記載の送信装置であって、
前記抑制する回路は、選択されたレベルより少ないビット数を有する前記周波数ドメイン同期フレーム多重搬送波シンボル内の前記周波数音調の少なくとも一つの前記複合振幅を抑制する送信装置。
【請求項１６】
請求項１３記載の送信装置であって、
データストリームをフレーム内の整列された周波数ドメイン多重搬送波データシンボルに符号化する符号器を更に有し、
前記変調器は、また、前記周波数ドメイン多重搬送波データシンボルから時間ドメイン多重搬送波データシンボルを生成し、
前記ディジタルアナログ変換器は、また、時間ドメイン多重搬送波データシンボルをアナログ信号に変換する送信装置。
【請求項１７】
請求項１６記載の送信装置であって、前記変調器は、前記周波数ドメイン同期フレーム多重搬送波シンボルおよび周波数ドメイン多重搬送波データシンボルを周期的に変調する送信装置。
【請求項１８】
請求項１３記載の送信装置であって、前記フレーム同期シーケンス源は前記フレーム同期パターンを記録する回路を有する送信装置。
【請求項１９】
請求項１３記載の送信装置であって、前記変調器は逆ＦＦＴ装置を有する送信装置。
【請求項２０】
請求項１３記載の送信装置であって、
前記２進値のシーケンスは、以下の等式によって決定され、
前記等式は、
2004147345.tif 000003
ここで、ｘ［ｐ］は前記シーケンスのp番目の値である２進値を示し、
2004147345.tif 000004
はモジュロ２の加法を示している方法。
【請求項２１】
請求項１３記載の送信装置であって、
前記時間ドメイン多重搬送波シンボルは時間ドメインサンプルのシーケンスを有し、
更に、時間ドメインサンプルのシーケンスの最後から選択されたサンプルの数に対応する循環プレフィックスを付加する循環プレフィックス付加器を有する送信装置。
【請求項２２】
請求項２１記載の送信装置であって、前記選択されたレベルは２ビットである送信装置。
【請求項２３】
請求項１３記載の送信装置であって、前記ディジタルアナログ変換器は、前記パイロット音調の周波数の２の累乗整数であるサンプリング周波数で動作する送信装置。
【請求項２４】
請求項１３記載の送信装置であって、
受信したアナログ信号を直列時間ドメインサンプルストリームへ変換するアナログ−ディジタル変換器と、
前記時間ドメインサンプルストリームを周波数ドメイン多重搬送波シンボルへ復調する復調器と、
前記周波数ドメイン多重搬送波シンボルから復号された信号を回復する回路を更に有する送信装置。
【請求項２５】
請求項２４記載の送信装置であって、
前記アナログ−ディジタル変換器の入力と前記ディジタルアナログ変換器の出力を伝送パスに結合する複合回路を更に有する送信装置。
【請求項２６】
請求項２５記載の送信装置であって、
前記伝送パスは２線式電話加入者回線で構成されている送信装置。
【請求項２７】
請求項２５記載の送信装置であって、
前記ディジタルアナログ変換器が第１のサンプリング周波数で動作することにより前記出力アナログ信号は第１伝送速度に対応するものであり、
前記受信したアナログ信号は第２伝送速度に対応する送信装置。
【請求項２８】
請求項２７記載の送信装置であって、前記第１伝送速度は前記第２伝送速度より大である送信装置。
【請求項２９】
請求項２７記載の送信装置であって、前記第１伝送速度は前記第２伝送速度より小である送信装置。